(57)【要約】【課題】本発明は水晶理学療法ベッドを開示した。【解決手段】本発明は水晶理学療法ベッドを開示し、本体と、前記本体の上方に設置された回転枠とを含み、前記本体の頂壁の中には上に開口した内歯車溝が設置され、前記内歯車溝の底壁の中にはウォームチャンバが設置され、理学療法ベッドを椅子の形に変形でき、使用者がベッドに入ることまたはベッドから出ることに便利であり、同時に枕の位置を調節でき、異なった使用者に適応し、設備が便利に移動でき、より便利に使用者の位置を移動でき、実用性がより強い。【選択図】図１
2020179122.tif 000002
【特許請求の範囲】
【請求項１】
正面視で、本体と、前記本体の上方に設置された回転枠とを含み、前記本体の頂壁の中には上に開口した内歯車溝が設置され、前記内歯車溝の底壁の中にはウォームチャンバが設置され、前記ウォームチャンバの頂壁の中には前記回転枠と固定的に連結された第一回転軸が回転できるように設置され、前記内歯車溝の中の前記第一回転軸の外表面には第一歯車が固定的に設置され、前記ウォームチャンバの中の前記第一回転軸の底部の末端にはウォームが固定的に設置され、前記回転枠の頂壁には水晶板が固定的に設置され、前記水晶板の左右両側には支持板がヒンジで連結され、前記回転枠の中には回転チャンバが設置され、前記回転チャンバの底壁の中には第二回転軸が回転できるように設置され、前記回転チャンバの中の前記第二回転軸の末端には第二歯車が固定的に設置され、前記第二回転軸の底部の末端には前記内歯車溝と第一歯車とに噛合した第三歯車が固定的に設置され、前記回転チャンバの頂壁の中には伝動チャンバが設置され、前記伝動チャンバと前記回転チャンバとの間には第三回転軸が回転できるように設置され、前記回転チャンバの中の前記第三回転軸の末端には前記第二歯車と噛合した第四歯車が固定的に設置され、前記伝動チャンバの中の前記第三回転軸の末端には第一傘歯車が固定的に設置され、前記伝動チャンバの左右両端壁の中にはネジ山スリーブが回転できるように設置され、前記伝動チャンバの中の前記ネジ山スリーブの末端には前記第一傘歯車と噛合した第二傘歯車が固定的に設置され、前記ネジ山スリーブの中にはネジ山穴が設置され、前記ネジ山穴の中にはネジボルトがネジ山によって連結され、前記ネジボルトと前記支持板の底壁との間にはヒンジ棒がヒンジで連結され、前記ウォームチャンバの後側端壁の中には歯車チャンバが設置され、前記歯車チャンバと前記ウォームチャンバとの間には前記ウォームと噛合したウォームホイールが回転できるように設置され、前記ウォームチャンバの中の前記ウォームホイールと前記ウォームチャンバの前側端壁の中に固定的に設置された第一モーターとが伝動できるように連結され、前記歯車チャンバの中の前記ウォームホイールの末端には第五歯車が固定的に設置され、前記歯車チャンバの右側にはスライドチャンバが設置され、前記スライドチャンバの中にはスライダがスライドできるように設置され、前記スライダの左側の端壁には前記第五歯車と噛合したラックが設置され、前記スライドチャンバの後側端壁の中には切替チャンバが設置され、前記切替チャンバの中には本体を移動することができるローラー装置が設置され、前記切替チャンバの前側端壁の中にはリールチャンバが設置され、前記リールチャンバの中には枕の位置を調節できる調節装置が設置され、左右の二つのネジボルトが其々に左右の二つの支持板を回転連動させて折り畳み、この時前記水晶理学療法ベッドが椅子の形に変形することを特徴とする水晶理学療法ベッド。
【請求項２】
前記調節装置は前記リールチャンバの右側端壁の中に設置されたロックチャンバを含み、前記ロックチャンバと前記切替チャンバとの間には第四回転軸が回転できるように設置され、前記切替チャンバの中の前記第四回転軸の末端には第六歯車が固定的に設置され、前記リールチャンバの中の前記第四回転軸の外表面にはリールが固定的に設置され、前記ロックチャンバの中の前記第四回転軸の末端には第七歯車が固定的に設置され、前記ロックチャンバの頂壁の中には下に開口したスライド溝が設置され、前記スライド溝の中にはロック棒がスライドできるように設置され、前記ロック棒と前記スライド溝の端壁との間には復帰装置が弾性を持つように設置され、右側の前記支持板の外表面には枕がスライドできるように設置され、前記枕の中には固定溝の右側端壁と右側の前記支持板との間に設置されたバネが設置され、前記リールの外表面には前記リールの右側端壁の中に設置された抜き穴を貫通して前記本体の右側端壁に固定された固定滑車を回した且つ前記枕と固定的に連結された引き線が周設され、前記リールが回転し、それにより前記引き線を引っ張り、それにより前記枕を使用者の首まで移動連動させることを特徴とする請求項１に記載の水晶理学療法ベッド。
【請求項３】
前記ローラー装置は前記切替チャンバの中に回転できるように設置された前後に伸びている第五回転軸を含み、前記第五回転軸の前後両側の末端には第一ローラーが固定的に設置され、前記切替チャンバの中の前記第五回転軸の外表面には第八歯車が固定的に設置され、前記スライダの後側端壁の中には第二モーターが固定的に設置され、前記第二モーターの出力軸の末端には前記第八歯車と噛合した第九歯車が固定的に設置され、前記本体の前後端壁の中には前後に対称的な第二ローラーが回転できるように設置され、前記第二モーターが回転して前記第九歯車と、第八歯車と、第一ローラーとを回転連動させ、それにより前記設備を移動連動させることを特徴とする請求項１に記載の水晶理学療法ベッド。
【発明の詳細な説明】
【技術分野】
【０００１】
本発明は医療の分野を取り上げて、具体的には水晶理学療法ベッドである。
【背景技術】
【０００２】
病人がリハビリテーションする時、いつも理学療法ベッドが必要であり、現有の理学療法ベッドは行動不便な病人にとって、ベッドに入ることまたはベッドから出ることが不便であり、病人をいつでも移動することができなく、それに伝統的な理学療法ベッドの枕のサイズが固定され、異なる身長の病人に対して調整できなく、快適さが悪く、従って、上記の問題を解決するには水晶理学療法ベッドが必要である。
【先行技術文献】
【特許文献】
【０００３】
【特許文献１】中国特許出願公開第１０９５４９７９７号明細書
【発明の概要】
【発明が解決しようとする課題】
【０００４】
本発明の目的は水晶理学療法ベッドを提供し、現有の技術の上記欠点を克服でき、設備の実用性を高める。
【課題を解決するための手段】
【０００５】
本発明の水晶理学療法ベッドは、本体と、前記本体の上方に設置された回転枠とを含み、前記本体の頂壁の中には上に開口した内歯車溝が設置され、前記内歯車溝の底壁の中にはウォームチャンバが設置され、前記ウォームチャンバの頂壁の中には前記回転枠と固定的に連結された第一回転軸が回転できるように設置され、前記内歯車溝の中の前記第一回転軸の外表面には第一歯車が固定的に設置され、前記ウォームチャンバの中の前記第一回転軸の底部の末端にはウォームが固定的に設置され、前記回転枠の頂壁には水晶板が固定的に設置され、前記水晶板の左右両側には支持板がヒンジで連結され、前記回転枠の中には回転チャンバが設置され、前記回転チャンバの底壁の中には第二回転軸が回転できるように設置され、前記回転チャンバの中の前記第二回転軸の末端には第二歯車が固定的に設置され、前記第二回転軸の底部の末端には前記内歯車溝と第一歯車とに噛合した第三歯車が固定的に設置され、前記回転チャンバの頂壁の中には伝動チャンバが設置され、前記伝動チャンバと前記回転チャンバとの間には第三回転軸が回転できるように設置され、前記回転チャンバの中の前記第三回転軸の末端には前記第二歯車と噛合した第四歯車が固定的に設置され、前記伝動チャンバの中の前記第三回転軸の末端には第一傘歯車が固定的に設置され、前記伝動チャンバの左右両端壁の中にはネジ山スリーブが回転できるように設置され、前記伝動チャンバの中の前記ネジ山スリーブの末端には前記第一傘歯車と噛合した第二傘歯車が固定的に設置され、前記ネジ山スリーブの中にはネジ山穴が設置され、前記ネジ山穴の中にはネジボルトがネジ山によって連結され、前記ネジボルトと前記支持板の底壁との間にはヒンジ棒がヒンジで連結され、前記ウォームチャンバの後側端壁の中には歯車チャンバが設置され、前記歯車チャンバと前記ウォームチャンバとの間には前記ウォームと噛合したウォームホイールが回転できるように設置され、前記ウォームチャンバの中の前記ウォームホイールと前記ウォームチャンバの前側端壁の中に固定的に設置された第一モーターとが伝動できるように連結され、前記歯車チャンバの中の前記ウォームホイールの末端には第五歯車が固定的に設置され、前記歯車チャンバの右側にはスライドチャンバが設置され、前記スライドチャンバの中にはスライダがスライドできるように設置され、前記スライダの左側の端壁には前記第五歯車と噛合したラックが設置され、前記スライドチャンバの後側端壁の中には切替チャンバが設置され、前記切替チャンバの中には本体を移動することができるローラー装置が設置され、前記切替チャンバの前側端壁の中にはリールチャンバが設置され、前記リールチャンバの中には枕の位置を調節できる調節装置が設置され、左右の二つのネジボルトが其々に左右の二つの支持板を回転連動させて折り畳み、この時前記水晶理学療法ベッドが椅子の形に変形する。
【０００６】
更なる技術方案、前記調節装置は前記リールチャンバの右側端壁の中に設置されたロックチャンバを含み、前記ロックチャンバと前記切替チャンバとの間には第四回転軸が回転できるように設置され、前記切替チャンバの中の前記第四回転軸の末端には第六歯車が固定的に設置され、前記リールチャンバの中の前記第四回転軸の外表面にはリールが固定的に設置され、前記ロックチャンバの中の前記第四回転軸の末端には第七歯車が固定的に設置され、前記ロックチャンバの頂壁の中には下に開口したスライド溝が設置され、前記スライド溝の中にはロック棒がスライドできるように設置され、前記ロック棒と前記スライド溝の端壁との間には復帰装置が弾性を持つように設置され、右側の前記支持板の外表面には枕がスライドできるように設置され、前記枕の中には固定溝の右側端壁と右側の前記支持板との間に設置されたバネが設置され、前記リールの外表面には前記リールの右側端壁の中に設置された抜き穴を貫通して前記本体の右側端壁に固定された固定滑車を回した且つ前記枕と固定的に連結された引き線が周設され、前記リールが回転し、それにより前記引き線を引っ張り、それにより前記枕を使用者の首まで移動連動させる。
【０００７】
更なる技術方案、前記ローラー装置は前記切替チャンバの中に回転できるように設置された前後に伸びている第五回転軸を含み、前記第五回転軸の前後両側の末端には第一ローラーが固定的に設置され、前記切替チャンバの中の前記第五回転軸の外表面には第八歯車が固定的に設置され、前記スライダの後側端壁の中には第二モーターが固定的に設置され、前記第二モーターの出力軸の末端には前記第八歯車と噛合した第九歯車が固定的に設置され、前記本体の前後端壁の中には前後に対称的な第二ローラーが回転できるように設置され、前記第二モーターが回転して前記第九歯車と、第八歯車と、第一ローラーとを回転連動させ、それにより前記設備を移動連動させる。
【発明の効果】
【０００８】
以上の詳しい分析により：本発明の設備は理学療法ベッドを椅子の形に変形でき、使用者がベッドに入ることまたはベッドから出ることに便利であり、同時に枕の位置を調節でき、異なった使用者に適応し、設備が便利に移動でき、より便利に使用者の位置を移動でき、実用性がより強い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶理学療法ベッドの全体構造模式図
【図２】図２は図１のＡの拡大構造模式図
【図３】図３は図１のＢーＢの構造模式図
【図４】図４は図３のＣーＣの構造模式図
【図５】図５は図１のＣーＣの構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜５のように、本発明の水晶理学療法ベッドは、本体１０と、前記本体１０の上方に設置された回転枠２１とを含み、前記本体１０の頂壁の中には上に開口した内歯車溝２３が設置され、前記内歯車溝２３の底壁の中にはウォームチャンバ３２が設置され、前記ウォームチャンバ３２の頂壁の中には前記回転枠２１と固定的に連結された第一回転軸３１が回転できるように設置され、前記内歯車溝２３の中の前記第一回転軸３１の外表面には第一歯車２２が固定的に設置され、前記ウォームチャンバ３２の中の前記第一回転軸３１の底部の末端にはウォーム３０が固定的に設置され、前記回転枠２１の頂壁には水晶板１７が固定的に設置され、前記水晶板１７の左右両側には支持板１６がヒンジで連結され、前記回転枠２１の中には回転チャンバ１４が設置され、前記回転チャンバ１４の底壁の中には第二回転軸１２が回転できるように設置され、前記回転チャンバ１４の中の前記第二回転軸１２の末端には第二歯車１３が固定的に設置され、前記第二回転軸１２の底部の末端には前記内歯車溝２３と第一歯車２２とに噛合した第三歯車１１が固定的に設置され、前記回転チャンバ１４の頂壁の中には伝動チャンバ３８が設置され、前記伝動チャンバ３８と前記回転チャンバ１４との間には第三回転軸３６が回転できるように設置され、前記回転チャンバ１４の中の前記第三回転軸３６の末端には前記第二歯車１３と噛合した第四歯車３７が固定的に設置され、前記伝動チャンバ３８の中の前記第三回転軸３６の末端には第一傘歯車３５が固定的に設置され、前記伝動チャンバ３８の左右両端壁の中にはネジ山スリーブ３９が回転できるように設置され、前記伝動チャンバ３８の中の前記ネジ山スリーブ３９の末端には前記第一傘歯車３５と噛合した第二傘歯車３４が固定的に設置され、前記ネジ山スリーブ３９の中にはネジ山穴４０が設置され、前記ネジ山穴４０の中にはネジボルト４１がネジ山によって連結され、前記ネジボルト４１と前記支持板１６の底壁との間にはヒンジ棒１５がヒンジで連結され、前記ウォームチャンバ３２の後側端壁の中には歯車チャンバ５８が設置され、前記歯車チャンバ５８と前記ウォームチャンバ３２との間には前記ウォーム３０と噛合したウォームホイール２９が回転できるように設置され、前記ウォームチャンバ３２の中の前記ウォームホイール２９と前記ウォームチャンバ３２の前側端壁の中に固定的に設置された第一モーター６０とが伝動できるように連結され、前記歯車チャンバ５８の中の前記ウォームホイール２９の末端には第五歯車５７が固定的に設置され、前記歯車チャンバ５８の右側にはスライドチャンバ４６が設置され、前記スライドチャンバ４６の中にはスライダ４８がスライドできるように設置され、前記スライダ４８の左側の端壁には前記第五歯車５７と噛合したラック５９が設置され、前記スライドチャンバ４６の後側端壁の中には切替チャンバ４４が設置され、前記切替チャンバ４４の中には本体１０を移動することができるローラー装置２００が設置され、前記切替チャンバ４４の前側端壁の中にはリールチャンバ２７が設置され、前記リールチャンバ２７の中には枕２０の位置を調節できる調節装置３００が設置され、左右の二つのネジボルト４１が其々に左右の二つの支持板１６を回転連動させて折り畳み、この時前記水晶理学療法ベッドが椅子の形に変形する。
【００１３】
有益なように、前記調節装置３００は前記リールチャンバ２７の右側端壁の中に設置されたロックチャンバ５０を含み、前記ロックチャンバ５０と前記切替チャンバ４４との間には第四回転軸５６が回転できるように設置され、前記切替チャンバ４４の中の前記第四回転軸５６の末端には第六歯車４２が固定的に設置され、前記リールチャンバ２７の中の前記第四回転軸５６の外表面にはリール５５が固定的に設置され、前記ロックチャンバ５０の中の前記第四回転軸５４の末端には第七歯車５４が固定的に設置され、前記ロックチャンバ５０の頂壁の中には下に開口したスライド溝５３が設置され、前記スライド溝５３の中にはロック棒５２がスライドできるように設置され、前記ロック棒５２と前記スライド溝５３の端壁との間には復帰装置５１が弾性を持つように設置され、右側の前記支持板１６の外表面には枕２０がスライドできるように設置され、前記枕２０の中には固定溝１９の右側端壁と右側の前記支持板１６との間に設置されたバネ１８が設置され、前記リール５５の外表面には前記リール５５の右側端壁の中に設置された抜き穴を貫通して前記本体１０の右側端壁に固定された固定滑車２５を回した且つ前記枕２０と固定的に連結された引き線２４が周設され、前記リール５５が回転し、それにより前記引き線２４を引っ張り、それにより前記枕２０を使用者の首まで移動連動させる。
【００１４】
有益なように、前記ローラー装置２００は前記切替チャンバ４４の中に回転できるように設置された前後に伸びている第五回転軸４９を含み、前記第五回転軸４９の前後両側の末端には第一ローラー２８が固定的に設置され、前記切替チャンバ４４の中の前記第五回転軸４９の外表面には第八歯車４５が固定的に設置され、前記スライダ４８の後側端壁の中には第二モーター４７が固定的に設置され、前記第二モーター４７の出力軸の末端には前記第八歯車と噛合した第九歯車４３が固定的に設置され、前記本体１０の前後端壁の中には前後に対称的な第二ローラー３３が回転できるように設置され、前記第二モーター４７が回転して前記第九歯車４３と、第八歯車４５と、第一ローラー２８とを回転連動させ、それにより前記設備を移動連動させる。
【００１５】
以下、付図１〜５及び上記の本願発明の水晶理学療法ベッドの具体的な構造を参考してその使い方を詳しく説明する：
【００１６】
この設備を使う時、第一モーター６０を始動回転させて前記ウォームホイール２９を回転連動させ、それにより前記ウォーム３０と、第一歯車２２と、回転枠２１と、水晶板１７とを回転連動させ、それにより前記第三歯車１１と、第二歯車１３と、第四歯車３７と、第一傘歯車３５と、第二傘歯車３４と、ネジ山スリーブ３９とを回転連動させ、それにより左側の前記ネジボルト４１を左に移動連動させ、同時に右側の前記ネジボルト４１が右に移動し、左右の二つのネジボルト４１が其々に左右の二つの支持板１６を回転連動させて折り畳み、この時前記水晶理学療法ベッドが椅子の形に変形し、同時に前記ウォームホイール２９ウォーム２９が回転して前記第五歯車５７を回転連動させ、それにより前記スライダ４８を上に移動連動させ、それにより前記第九歯車４３と前記第六歯車４２とを噛合連動させ、この時使用者が前記水晶板１７の上方に座り、前記第二モーター４７が回転して前記第九歯車４３と、第六歯車４２と、リール５５とを回転連動させ、それにより前記引き線２４を引っ張り引き動かし、それにより前記枕２０を使用者の首まで移動連動させ、この時前記第一モーター６０を始動して反方向に回転連動させて前記設備を初期形に復帰させ、この時病人が水晶板１７と、支持板１６との上方に横たわり、理学療法を受け、同時に前記第二モーター４７を始動して前記第二モーター４７が回転して前記第九歯車４３と、第八歯車４３と、第一ローラー２８とを回転連動させ、それにより前記設備を移動連動させる。
【００１７】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020179122.tif 000003
【図２】
2020179122.tif 000004
【図３】
2020179122.tif 000005
【図４】
2020179122.tif 000006
【図５】
2020179122.tif 000007
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
正面視で、本体と、前記本体の上方に設置された回転枠とを含み、前記本体の頂壁の中には上に開口した内歯車溝が設置され、前記内歯車溝の底壁の中にはウォームチャンバが設置され、前記ウォームチャンバの頂壁の中には前記回転枠と固定的に連結された第一回転軸が回転できるように設置され、前記内歯車溝の中の前記第一回転軸の外表面には第一歯車が固定的に設置され、前記ウォームチャンバの中の前記第一回転軸の底部の末端にはウォームが固定的に設置され、前記回転枠の頂壁には水晶板が固定的に設置され、前記水晶板の左右両側には支持板がヒンジで連結され、前記回転枠の中には回転チャンバが設置され、前記回転チャンバの底壁の中には第二回転軸が回転できるように設置され、前記回転チャンバの中の前記第二回転軸の末端には第二歯車が固定的に設置され、前記第二回転軸の底部の末端には前記内歯車溝と第一歯車とに噛合した第三歯車が固定的に設置され、前記回転チャンバの頂壁の中には伝動チャンバが設置され、前記伝動チャンバと前記回転チャンバとの間には第三回転軸が回転できるように設置され、前記回転チャンバの中の前記第三回転軸の末端には前記第二歯車と噛合した第四歯車が固定的に設置され、前記伝動チャンバの中の前記第三回転軸の末端には第一傘歯車が固定的に設置され、前記伝動チャンバの左右両端壁の中にはネジ山スリーブが回転できるように設置され、前記伝動チャンバの中の前記ネジ山スリーブの末端には前記第一傘歯車と噛合した第二傘歯車が固定的に設置され、前記ネジ山スリーブの中にはネジ山穴が設置され、前記ネジ山穴の中にはネジボルトがネジ山によって連結され、前記ネジボルトと前記支持板の底壁との間にはヒンジ棒がヒンジで連結され、前記ウォームチャンバの後側端壁の中には歯車チャンバが設置され、前記歯車チャンバと前記ウォームチャンバとの間には前記ウォームと噛合したウォームホイールが回転できるように設置され、前記ウォームチャンバの中の前記ウォームホイールと前記ウォームチャンバの前側端壁の中に固定的に設置された第一モーターとが伝動できるように連結され、前記歯車チャンバの中の前記ウォームホイールの末端には第五歯車が固定的に設置され、前記歯車チャンバの右側にはスライドチャンバが設置され、前記スライドチャンバの中にはスライダがスライドできるように設置され、前記スライダの左側の端壁には前記第五歯車と噛合したラックが設置され、前記スライドチャンバの後側端壁の中には切替チャンバが設置され、前記切替チャンバの中には本体を移動することができるローラー装置が設置され、前記切替チャンバの前側端壁の中にはリールチャンバが設置され、前記リールチャンバの中には枕の位置を調節できる調節装置が設置され、左右の二つのネジボルトが其々に左右の二つの支持板を回転連動させて折り畳み、この時前記水晶理学療法ベッドが椅子の形に変形することを特徴とする水晶理学療法ベッド。
【請求項２】
前記調節装置は前記リールチャンバの右側端壁の中に設置されたロックチャンバを含み、前記ロックチャンバと前記切替チャンバとの間には第四回転軸が回転できるように設置され、前記切替チャンバの中の前記第四回転軸の末端には第六歯車が固定的に設置され、前記リールチャンバの中の前記第四回転軸の外表面にはリールが固定的に設置され、前記ロックチャンバの中の前記第四回転軸の末端には第七歯車が固定的に設置され、前記ロックチャンバの頂壁の中には下に開口したスライド溝が設置され、前記スライド溝の中にはロック棒がスライドできるように設置され、前記ロック棒と前記スライド溝の端壁との間には復帰装置が弾性を持つように設置され、右側の前記支持板の外表面には枕がスライドできるように設置され、前記枕の中には固定溝の右側端壁と右側の前記支持板との間に設置されたバネが設置され、前記リールの外表面には前記リールの右側端壁の中に設置された抜き穴を貫通して前記本体の右側端壁に固定された固定滑車を回した且つ前記枕と固定的に連結された引き線が周設され、前記リールが回転し、それにより前記引き線を引っ張り、それにより前記枕を使用者の首まで移動連動させることを特徴とする請求項１に記載の水晶理学療法ベッド。
【請求項３】
前記ローラー装置は前記切替チャンバの中に回転できるように設置された前後に伸びている第五回転軸を含み、前記第五回転軸の前後両側の末端には第一ローラーが固定的に設置され、前記切替チャンバの中の前記第五回転軸の外表面には第八歯車が固定的に設置され、前記スライダの後側端壁の中には第二モーターが固定的に設置され、前記第二モーターの出力軸の末端には前記第八歯車と噛合した第九歯車が固定的に設置され、前記本体の前後端壁の中には前後に対称的な第二ローラーが回転できるように設置され、前記第二モーターが回転して前記第九歯車と、第八歯車と、第一ローラーとを回転連動させ、それにより設備を移動連動させることを特徴とする請求項１に記載の水晶理学療法ベッド。
【手続補正２】
【補正対象書類名】明細書
【補正対象項目名】全文
【補正方法】変更
【補正の内容】
【発明の詳細な説明】
【技術分野】
【０００１】
本発明は医療の分野を取り上げて、具体的には水晶理学療法ベッドである。
【背景技術】
【０００２】
病人がリハビリテーションする時、いつも理学療法ベッドが必要であり、現有の理学療法ベッドは行動不便な病人にとって、ベッドに入ることまたはベッドから出ることが不便であり、病人をいつでも移動することができなく、それに伝統的な理学療法ベッドの枕のサイズが固定され、異なる身長の病人に対して調整できなく、快適さが悪く、従って、上記の問題を解決するには水晶理学療法ベッドが必要である。
【先行技術文献】
【特許文献】
【０００３】
【特許文献１】中国特許出願公開第１０９５４９７９７号明細書
【発明の概要】
【発明が解決しようとする課題】
【０００４】
本発明の目的は水晶理学療法ベッドを提供し、現有の技術の上記欠点を克服でき、設備の実用性を高める。
【課題を解決するための手段】
【０００５】
本発明の水晶理学療法ベッドは、本体と、前記本体の上方に設置された回転枠とを含み、前記本体の頂壁の中には上に開口した内歯車溝が設置され、前記内歯車溝の底壁の中にはウォームチャンバが設置され、前記ウォームチャンバの頂壁の中には前記回転枠と固定的に連結された第一回転軸が回転できるように設置され、前記内歯車溝の中の前記第一回転軸の外表面には第一歯車が固定的に設置され、前記ウォームチャンバの中の前記第一回転軸の底部の末端にはウォームが固定的に設置され、前記回転枠の頂壁には水晶板が固定的に設置され、前記水晶板の左右両側には支持板がヒンジで連結され、前記回転枠の中には回転チャンバが設置され、前記回転チャンバの底壁の中には第二回転軸が回転できるように設置され、前記回転チャンバの中の前記第二回転軸の末端には第二歯車が固定的に設置され、前記第二回転軸の底部の末端には前記内歯車溝と第一歯車とに噛合した第三歯車が固定的に設置され、前記回転チャンバの頂壁の中には伝動チャンバが設置され、前記伝動チャンバと前記回転チャンバとの間には第三回転軸が回転できるように設置され、前記回転チャンバの中の前記第三回転軸の末端には前記第二歯車と噛合した第四歯車が固定的に設置され、前記伝動チャンバの中の前記第三回転軸の末端には第一傘歯車が固定的に設置され、前記伝動チャンバの左右両端壁の中にはネジ山スリーブが回転できるように設置され、前記伝動チャンバの中の前記ネジ山スリーブの末端には前記第一傘歯車と噛合した第二傘歯車が固定的に設置され、前記ネジ山スリーブの中にはネジ山穴が設置され、前記ネジ山穴の中にはネジボルトがネジ山によって連結され、前記ネジボルトと前記支持板の底壁との間にはヒンジ棒がヒンジで連結され、前記ウォームチャンバの後側端壁の中には歯車チャンバが設置され、前記歯車チャンバと前記ウォームチャンバとの間には前記ウォームと噛合したウォームホイールが回転できるように設置され、前記ウォームチャンバの中の前記ウォームホイールと前記ウォームチャンバの前側端壁の中に固定的に設置された第一モーターとが伝動できるように連結され、前記歯車チャンバの中の前記ウォームホイールの末端には第五歯車が固定的に設置され、前記歯車チャンバの右側にはスライドチャンバが設置され、前記スライドチャンバの中にはスライダがスライドできるように設置され、前記スライダの左側の端壁には前記第五歯車と噛合したラックが設置され、前記スライドチャンバの後側端壁の中には切替チャンバが設置され、前記切替チャンバの中には本体を移動することができるローラー装置が設置され、前記切替チャンバの前側端壁の中にはリールチャンバが設置され、前記リールチャンバの中には枕の位置を調節できる調節装置が設置され、左右の二つのネジボルトが其々に左右の二つの支持板を回転連動させて折り畳み、この時前記水晶理学療法ベッドが椅子の形に変形する。
【０００６】
更なる技術方案、前記調節装置は前記リールチャンバの右側端壁の中に設置されたロックチャンバを含み、前記ロックチャンバと前記切替チャンバとの間には第四回転軸が回転できるように設置され、前記切替チャンバの中の前記第四回転軸の末端には第六歯車が固定的に設置され、前記リールチャンバの中の前記第四回転軸の外表面にはリールが固定的に設置され、前記ロックチャンバの中の前記第四回転軸の末端には第七歯車が固定的に設置され、前記ロックチャンバの頂壁の中には下に開口したスライド溝が設置され、前記スライド溝の中にはロック棒がスライドできるように設置され、前記ロック棒と前記スライド溝の端壁との間には復帰装置が弾性を持つように設置され、右側の前記支持板の外表面には枕がスライドできるように設置され、前記枕の中には固定溝の右側端壁と右側の前記支持板との間に設置されたバネが設置され、前記リールの外表面には前記リールの右側端壁の中に設置された抜き穴を貫通して前記本体の右側端壁に固定された固定滑車を回した且つ前記枕と固定的に連結された引き線が周設され、前記リールが回転し、それにより前記引き線を引っ張り、それにより前記枕を使用者の首まで移動連動させる。
【０００７】
更なる技術方案、前記ローラー装置は前記切替チャンバの中に回転できるように設置された前後に伸びている第五回転軸を含み、前記第五回転軸の前後両側の末端には第一ローラーが固定的に設置され、前記切替チャンバの中の前記第五回転軸の外表面には第八歯車が固定的に設置され、前記スライダの後側端壁の中には第二モーターが固定的に設置され、前記第二モーターの出力軸の末端には前記第八歯車と噛合した第九歯車が固定的に設置され、前記本体の前後端壁の中には前後に対称的な第二ローラーが回転できるように設置され、前記第二モーターが回転して前記第九歯車と、第八歯車と、第一ローラーとを回転連動させ、それにより設備を移動連動させる。
【発明の効果】
【０００８】
以上の詳しい分析により：本発明の設備は理学療法ベッドを椅子の形に変形でき、使用者がベッドに入ることまたはベッドから出ることに便利であり、同時に枕の位置を調節でき、異なった使用者に適応し、設備が便利に移動でき、より便利に使用者の位置を移動でき、実用性がより強い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶理学療法ベッドの全体構造模式図
【図２】図２は図１のＡの拡大構造模式図
【図３】図３は図１のＢーＢの構造模式図
【図４】図４は図３のＣーＣの構造模式図
【図５】図５は図１のＣーＣの構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜５のように、本発明の水晶理学療法ベッドは、本体１０と、前記本体１０の上方に設置された回転枠２１とを含み、前記本体１０の頂壁の中には上に開口した内歯車溝２３が設置され、前記内歯車溝２３の底壁の中にはウォームチャンバ３２が設置され、前記ウォームチャンバ３２の頂壁の中には前記回転枠２１と固定的に連結された第一回転軸３１が回転できるように設置され、前記内歯車溝２３の中の前記第一回転軸３１の外表面には第一歯車２２が固定的に設置され、前記ウォームチャンバ３２の中の前記第一回転軸３１の底部の末端にはウォーム３０が固定的に設置され、前記回転枠２１の頂壁には水晶板１７が固定的に設置され、前記水晶板１７の左右両側には支持板１６がヒンジで連結され、前記回転枠２１の中には回転チャンバ１４が設置され、前記回転チャンバ１４の底壁の中には第二回転軸１２が回転できるように設置され、前記回転チャンバ１４の中の前記第二回転軸１２の末端には第二歯車１３が固定的に設置され、前記第二回転軸１２の底部の末端には前記内歯車溝２３と第一歯車２２とに噛合した第三歯車１１が固定的に設置され、前記回転チャンバ１４の頂壁の中には伝動チャンバ３８が設置され、前記伝動チャンバ３８と前記回転チャンバ１４との間には第三回転軸３６が回転できるように設置され、前記回転チャンバ１４の中の前記第三回転軸３６の末端には前記第二歯車１３と噛合した第四歯車３７が固定的に設置され、前記伝動チャンバ３８の中の前記第三回転軸３６の末端には第一傘歯車３５が固定的に設置され、前記伝動チャンバ３８の左右両端壁の中にはネジ山スリーブ３９が回転できるように設置され、前記伝動チャンバ３８の中の前記ネジ山スリーブ３９の末端には前記第一傘歯車３５と噛合した第二傘歯車３４が固定的に設置され、前記ネジ山スリーブ３９の中にはネジ山穴４０が設置され、前記ネジ山穴４０の中にはネジボルト４１がネジ山によって連結され、前記ネジボルト４１と前記支持板１６の底壁との間にはヒンジ棒１５がヒンジで連結され、前記ウォームチャンバ３２の後側端壁の中には歯車チャンバ５８が設置され、前記歯車チャンバ５８と前記ウォームチャンバ３２との間には前記ウォーム３０と噛合したウォームホイール２９が回転できるように設置され、前記ウォームチャンバ３２の中の前記ウォームホイール２９と前記ウォームチャンバ３２の前側端壁の中に固定的に設置された第一モーター６０とが伝動できるように連結され、前記歯車チャンバ５８の中の前記ウォームホイール２９の末端には第五歯車５７が固定的に設置され、前記歯車チャンバ５８の右側にはスライドチャンバ４６が設置され、前記スライドチャンバ４６の中にはスライダ４８がスライドできるように設置され、前記スライダ４８の左側の端壁には前記第五歯車５７と噛合したラック５９が設置され、前記スライドチャンバ４６の後側端壁の中には切替チャンバ４４が設置され、前記切替チャンバ４４の中には本体１０を移動することができるローラー装置２００が設置され、前記切替チャンバ４４の前側端壁の中にはリールチャンバ２７が設置され、前記リールチャンバ２７の中には枕２０の位置を調節できる調節装置３００が設置され、左右の二つのネジボルト４１が其々に左右の二つの支持板１６を回転連動させて折り畳み、この時前記水晶理学療法ベッドが椅子の形に変形する。
【００１３】
有益なように、前記調節装置３００は前記リールチャンバ２７の右側端壁の中に設置されたロックチャンバ５０を含み、前記ロックチャンバ５０と前記切替チャンバ４４との間には第四回転軸５６が回転できるように設置され、前記切替チャンバ４４の中の前記第四回転軸５６の末端には第六歯車４２が固定的に設置され、前記リールチャンバ２７の中の前記第四回転軸５６の外表面にはリール５５が固定的に設置され、前記ロックチャンバ５０の中の前記第四回転軸５４の末端には第七歯車５４が固定的に設置され、前記ロックチャンバ５０の頂壁の中には下に開口したスライド溝５３が設置され、前記スライド溝５３の中にはロック棒５２がスライドできるように設置され、前記ロック棒５２と前記スライド溝５３の端壁との間には復帰装置５１が弾性を持つように設置され、右側の前記支持板１６の外表面には枕２０がスライドできるように設置され、前記枕２０の中には固定溝１９の右側端壁と右側の前記支持板１６との間に設置されたバネ１８が設置され、前記リール５５の外表面には前記リール５５の右側端壁の中に設置された抜き穴を貫通して前記本体１０の右側端壁に固定された固定滑車２５を回した且つ前記枕２０と固定的に連結された引き線２４が周設され、前記リール５５が回転し、それにより前記引き線２４を引っ張り、それにより前記枕２０を使用者の首まで移動連動させる。
【００１４】
有益なように、前記ローラー装置２００は前記切替チャンバ４４の中に回転できるように設置された前後に伸びている第五回転軸４９を含み、前記第五回転軸４９の前後両側の末端には第一ローラー２８が固定的に設置され、前記切替チャンバ４４の中の前記第五回転軸４９の外表面には第八歯車４５が固定的に設置され、前記スライダ４８の後側端壁の中には第二モーター４７が固定的に設置され、前記第二モーター４７の出力軸の末端には前記第八歯車と噛合した第九歯車４３が固定的に設置され、前記本体１０の前後端壁の中には前後に対称的な第二ローラー３３が回転できるように設置され、前記第二モーター４７が回転して前記第九歯車４３と、第八歯車４５と、第一ローラー２８とを回転連動させ、それにより設備を移動連動させる。
【００１５】
以下、付図１〜５及び上記の本願発明の水晶理学療法ベッドの具体的な構造を参考してその使い方を詳しく説明する：
【００１６】
この設備を使う時、第一モーター６０を始動回転させて前記ウォームホイール２９を回転連動させ、それにより前記ウォーム３０と、第一歯車２２と、回転枠２１と、水晶板１７とを回転連動させ、それにより前記第三歯車１１と、第二歯車１３と、第四歯車３７と、第一傘歯車３５と、第二傘歯車３４と、ネジ山スリーブ３９とを回転連動させ、それにより左側の前記ネジボルト４１を左に移動連動させ、同時に右側の前記ネジボルト４１が右に移動し、左右の二つのネジボルト４１が其々に左右の二つの支持板１６を回転連動させて折り畳み、この時前記水晶理学療法ベッドが椅子の形に変形し、同時に前記ウォームホイール２９ウォーム２９が回転して前記第五歯車５７を回転連動させ、それにより前記スライダ４８を上に移動連動させ、それにより前記第九歯車４３と前記第六歯車４２とを噛合連動させ、この時使用者が前記水晶板１７の上方に座り、前記第二モーター４７が回転して前記第九歯車４３と、第六歯車４２と、リール５５とを回転連動させ、それにより前記引き線２４を引っ張り引き動かし、それにより前記枕２０を使用者の首まで移動連動させ、この時前記第一モーター６０を始動して反方向に回転連動させて前記設備を初期形に復帰させ、この時病人が水晶板１７と、支持板１６との上方に横たわり、理学療法を受け、同時に前記第二モーター４７を始動して前記第二モーター４７が回転して前記第九歯車４３と、第八歯車４３と、第一ローラー２８とを回転連動させ、それにより前記設備を移動連動させる。
【００１７】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。